(57)【要約】      （修正有）【課題】ＥＵＶ等の露光において、感度に優れ、ＬＷＲ性能及び解像性にも優れる感放射線性樹脂組成物を提供する。【解決手段】酸解離性基を有する重合体、１個の放射線粒子の作用により、化学構造の変化を伴って２個以上の電子を放出する有機化合物、及び放射線の作用により酸を発生する酸発生体を含有する感放射線性樹脂組成物。【選択図】なし【特許請求の範囲】
【請求項１】
酸解離性基を有する重合体、
１個の放射線粒子の作用により、化学構造の変化を伴って２個以上の電子を放出する有機化合物、及び
放射線の作用により酸を発生する酸発生体
を含有する感放射線性樹脂組成物。
【請求項２】
上記有機化合物が、下記式（１）〜（５）で表される化合物からなる群より選ばれる少なくとも１種である請求項１に記載の感放射線性樹脂組成物。
【化１】
2015079142.tif 000027
（式（１）中、Ｒ１は、水素原子又は炭素数１〜２０のアルキル基である。Ｒ２〜Ｒ６は、それぞれ独立して、水素原子又は炭素数１〜２０の１価の有機基である。Ｒ３とＲ４又はＲ５とＲ６は、互いに合わせられこれらが結合する炭素原子と共に環員数４〜２０の環構造を構成してもよい。
式（２）中、Ｘ１及びＸ２は、それぞれ独立して、ＯＨ又はＮＨＲ’である。Ｒ’は、水素原子又は炭素数１〜２０のアルキル基である。Ｒ１１〜Ｒ１４は、それぞれ独立して、水素原子又は炭素数１〜２０の１価の有機基である。Ｒ１１とＲ１２又はＲ１３とＲ１４は、互いに合わせられこれらが結合する炭素原子と共に環員数４〜２０の環構造を構成してもよい。
式（３）中、Ａｒ１〜Ａｒ５は、それぞれ独立して、置換若しくは非置換の炭素数６〜２０の１価の芳香族炭化水素基又は置換若しくは非置換の環員数４〜２０の１価の芳香族複素環基である。Ｒ２１〜Ｒ２５は、それぞれ独立して、水素原子又は炭素数１〜２０の１価の有機基である。
式（４）中、Ａｒ１１〜Ａｒ１６は、それぞれ独立して、置換若しくは非置換の炭素数６〜２０の１価の芳香族炭化水素基又は置換若しくは非置換の環員数４〜２０の１価の芳香族複素環基である。Ａｒ１３とＡｒ１６とは、互いに合わせられこれらが結合する炭素原子と共に環員数４〜２０の環構造を構成してもよい。
式（５）中、Ａｒ２１〜Ａｒ２４は、それぞれ独立して、置換若しくは非置換の炭素数６〜２０の１価の芳香族炭化水素基又は置換若しくは非置換の環員数４〜２０の１価の芳香族複素環基である。Ａｒ２１とＡｒ２２又はＡｒ２３とＡｒ２４は、互いに合わせられこれらが結合する炭素原子と共に環員数４〜２０の環構造を構成してもよい。）
【請求項３】
上記酸発生体が、下記式（６）で表される請求項１又は請求項２に記載の感放射線性樹脂組成物。
【化２】
2015079142.tif 000028
（式（６）中、Ｑ＋は、１価の感放射線性オニウムカチオンである。Ｙ−は、１価の有機オキソ酸アニオンである。）
【請求項４】
上記重合体の酸解離性基が、下記式（７）で表される請求項１、請求項２又は請求項３に記載の感放射線性樹脂組成物。
【化３】
2015079142.tif 000029
（式（７）中、Ｒｐ１は、炭素数１〜２０のアルキル基、炭素数４〜２０のシクロアルキル基又は炭素数６〜２０のアリール基である。Ｒｐ２及びＲｐ３は、それぞれ独立して炭素数１〜２０のアルキル基若しくは炭素数４〜２０のシクロアルキル基であるか、又はこれらの基が互いに合わせられこれらが結合する炭素原子と共に構成される環員数３〜２０の脂環構造を表す。＊は、上記重合体が有する極性基への結合部位を示す。）
【請求項５】
上記放射線が、極端紫外線（ＥＵＶ）、Ｘ線又は電子線（ＥＢ）である請求項１から請求項４のいずれか１項に記載の感放射線性樹脂組成物。
【請求項６】
レジスト膜を形成する工程、
上記レジスト膜を露光する工程、及び
上記露光されたレジスト膜を現像する工程
を備え、
上記レジスト膜を請求項１から請求項５のいずれか１項に記載の感放射線性樹脂組成物により形成するレジストパターン形成方法。
【請求項７】
上記露光工程で用いる放射線が、極端紫外線（ＥＵＶ）、Ｘ線又は電子線（ＥＢ）である請求項６に記載のレジストパターン形成方法。
【発明の詳細な説明】
【技術分野】
【０００１】
本発明は、感放射線性樹脂組成物及びレジストパターン形成方法に関する。
【背景技術】
【０００２】
従来、ＩＣ、ＬＳＩ等の半導体デバイスの製造プロセスにおいては、感放射線性樹脂組成物を用いたリソグラフィーによる微細加工が行われている。近年、集積回路の高集積化に伴い、サブミクロン領域やクオーターミクロン領域の超微細パターン形成が要求されるようになってきている。それに伴い、露光に用いる放射線も、ｇ線からｉ線、ＫｒＦエキシマレーザー光、さらにはＡｒＦエキシマレーザー光と、より短波長になってきている。特に最近では、エキシマレーザー光よりさらに短波長の極端紫外線（ＥＵＶ）、Ｘ線、電子線（ＥＢ）等（以下、「ＥＵＶ等」ともいう）を用いたリソグラフィー技術の開発が進められている（特開２００６−１７１４４０号公報、特開２０１１−１６７４６号公報及び特開２０１０−２０４６３４号公報参照）。
【０００３】
上記ＥＵＶ等を用いたリソグラフィー技術は、３２ｎｍ以下の超微細領域のパターン形成が可能な次世代のパターン形成技術として期待されている。しかし、ＥＵＶ等を用いた露光においては、その放射線の出力を高めるのが困難である等の理由から、感放射線性樹脂組成物の高感度化が求められている。また、ＬＷＲ（Ｌｉｎｅ  Ｗｉｄｔｈ  Ｒｏｕｇｈｎｅｓｓ）性能及び解像性を向上させることも要求されている。しかし、上記従来の感放射線性樹脂組成物は、これらの要求を満たすことはできていない。
【先行技術文献】
【特許文献】
【０００４】
【特許文献１】特開２００６−１７１４４０号広報
【特許文献２】特開２０１１−１６７４６広報
【特許文献３】特開２０１０−２０４６３４号広報
【発明の概要】
【発明が解決しようとする課題】
【０００５】
本発明は、以上のような事情に基づいてなされたものであり、その目的は、ＥＵＶ等の露光において、感度に優れ、ＬＷＲ性能及び解像性にも優れる感放射線性樹脂組成物を提供することにある。
【課題を解決するための手段】
【０００６】
上記課題を解決するためになされた発明は、
酸解離性基を有する重合体（以下、「［Ａ］重合体」ともいう）、
１個の放射線粒子の作用により、化学構造の変化を伴って２個以上の電子を放出する有機化合物（以下、「［Ｂ］有機化合物」ともいう）、及び
［Ｃ］放射線の作用により酸を発生する酸発生体（以下、「［Ｃ］酸発生体」）ともいう）
を含有する感放射線性樹脂組成物である。
【０００７】
上記課題を解決するためになされた別の発明は、
レジスト膜を形成する工程、
上記レジスト膜を露光する工程、及び
上記露光されたレジスト膜を現像する工程
を備え、
上記レジスト膜を当該感放射線性樹脂組成物により形成するレジストパターン形成方法である。
【０００８】
ここで、「炭化水素基」とは、鎖状炭化水素基、脂環式炭化水素基及び芳香族炭化水素基が含まれる。この「炭化水素基」は、飽和炭化水素基でも不飽和炭化水素基でもよい。「鎖状炭化水素基」とは、環状構造を含まず、鎖状構造のみで構成された炭化水素基をいい、直鎖状炭化水素基及び分岐状炭化水素基の両方を含む。「脂環式炭化水素基」とは、環構造としては脂環構造のみを含み、芳香環構造を含まない炭化水素基をいい、単環の脂環式炭化水素基及び多環の脂環式炭化水素基の両方を含む。但し、脂環構造のみで構成されている必要はなく、その一部に鎖状構造を含んでいてもよい。「芳香族炭化水素基」とは、環構造として芳香環構造を含む炭化水素基をいう。但し、芳香環構造のみで構成されている必要はなく、その一部に鎖状構造や脂環構造を含んでいてもよい。
また、「有機基」とは、少なくとも１個の炭素原子を含む基をいう。
【発明の効果】
【０００９】
本発明の感放射線性樹脂組成物及びレジストパターン形成方法によれば、高い感度を発揮しつつ、ＬＷＲが小さく解像度が高いレジストパターンを形成することができる。従って、これらは、半導体デバイス、液晶デバイス等の各種電子デバイスのリソグラフィー工程における微細なレジストパターン形成に好適に用いることができる。
【発明を実施するための形態】
【００１０】
＜感放射線性樹脂組成物＞
本発明の感放射線性樹脂組成物は、［Ａ］重合体、［Ｂ］有機化合物、及び［Ｃ］酸発生体を含有する。また、当該感放射線性樹脂組成物は、好適成分として、［Ｄ］酸拡散制御体及び［Ｅ］溶媒を含有してもよく、本発明の効果を損なわない範囲において、その他の任意成分を含有してもよい。
以下、各成分について詳述する。
【００１１】
＜［Ａ］重合体＞
［Ａ］重合体は、酸解離性基を有する重合体である。「酸解離性基」とは、カルボキシル基、ヒドロキシル基等の水素原子を置換する基であって、酸の作用により解離する基をいう。当該感放射線性樹脂組成物によれば、後述する［Ｃ］酸発生体等から生じる酸の作用により、露光部において［Ａ］重合体が有する酸解離性基が解離し、現像液に対する溶解性が変化することにより、レジストパターンを形成することができる。［Ａ］重合体は酸解離性基を有する限り特に限定されず、酸解離性基の位置としては、主鎖、側鎖及び末端のいずれに結合していてもよいが、［Ａ］重合体としては、酸解離性基を含む構造単位（以下、「構造単位（Ｉ）」ともいう）を有することが好ましい。
【００１２】
上記［Ａ］重合体は、構造単位（Ｉ）以外にも、後述するフェノール性水酸基を含む構造単位（ＩＩ）を有していてもよく、構造単位（Ｉ）及び構造単位（ＩＩ）以外のその他の構造単位を有していてもよい。
以下、各構造単位について説明する。
【００１３】
［構造単位（Ｉ）］
構造単位（Ｉ）は、酸解離性基を含む構造単位である。この酸解離性基としては、下記式（７）で表される基が好ましい。この酸解離性基は、［Ａ］重合体が有する−ＣＯＯ−、−Ｏ−等の極性基に結合している。
【００１４】
【化１】
2015079142.tif 000002
【００１５】
上記式（７）中、Ｒｐ１は、炭素数１〜２０のアルキル基、炭素数３〜２０のシクロアルキル基又は炭素数６〜２０のアリール基である。Ｒｐ２及びＲｐ３は、それぞれ独立して炭素数１〜２０のアルキル基若しくは炭素数３〜２０のシクロアルキル基であるか、又はこれらの基が互いに合わせられこれらが結合する炭素原子と共に構成される環員数３〜２０の脂環構造を表す。＊は、［Ａ］重合体が有する極性基への結合部位を示す。
【００１６】
上記Ｒｐ１、Ｒｐ２及びＲｐ３で表される炭素数１〜２０のアルキル基としては、例えば、メチル基、エチル基、ｎ−プロピル基、ｉ−プロピル基、ｎ−ブチル基、ｉ−ブチル基、ｓｅｃ−ブチル基、ｔ−ブチル基等が挙げられる。
【００１７】
上記Ｒｐ１、Ｒｐ２及びＲｐ３で表される炭素数３〜２０のシクロアルキル基としては、例えば、シクロプロピル基、シクロブチル基、シクロペンチル基、シクロヘキシル基、シクロオクチル基、ノルボルニル基、アダマンチル基等が挙げられる。
【００１８】
上記Ｒｐ１で表される炭素数６〜２０のアリール基としては、例えば、フェニル基、トリル基、キシリル基、メシチル基、ナフチル基、アントリル基等が挙げられる。
【００１９】
上記Ｒｐ２及びＲｐ３のこれらの基が互いに合わせられこれらが結合する炭素原子と共に構成される環員数３〜２０の脂環構造としては、例えば、シクロプロパン構造、シクロブタン構造、シクロペンタン構造、シクロヘキサン構造、シクロオクタン構造、ノルボルナン構造、アダマンタン構造等が挙げられる。
【００２０】
上記構造単位（Ｉ）としては、例えば、下記式（７−１）で表される構造単位（以下、「構造単位（Ｉ−１）」ともいう）、下記式（７−２）で表される構造単位（以下、「構造単位（Ｉ−２）」ともいう）等が挙げられる。
【００２１】
【化２】
2015079142.tif 000003
【００２２】
上記式（７−１）及び（７−２）中、Ｒｐ１、Ｒｐ２及びＲｐ３は、上記式（７）と同義である。
上記式（７−１）中、ＲＡは、水素原子、フッ素原子、メチル基又はトリフルオロメチル基である。
上記式（７−２）中、ＲＢは、水素原子、フッ素原子、メチル基又はトリフルオロメチル基である。Ｌ１は、単結合、−Ｏ−、−ＣＯＯ−又は−ＣＯＮＨ−である。
【００２３】
上記ＲＡとしては、構造単位（Ｉ−１）を与える単量体の共重合性の観点から、水素原子、メチル基が好ましく、メチル基がより好ましい。
上記ＲＢとしては、構造単位（Ｉ−２）を与える単量体の共重合性の観点から、水素原子、メチル基が好ましく、水素原子がより好ましい。
【００２４】
上記構造単位（Ｉ−１）としては、下記式（７−１−１）〜（７−１−４）で表される構造単位（以下、「構造単位（Ｉ−１−１）〜（Ｉ−１−４）」ともいう）が、上記構造単位（Ｉ−２）としては、下記式（７−２−１）で表される構造単位（以下、「構造単位（Ｉ−２−１）」ともいう）が好ましい。
【００２５】
【化３】
2015079142.tif 000004
【００２６】
上記式（７−１−１）〜（７−２−１）中、Ｒｐ１〜Ｒｐ３、ＲＡ及びＲＢは、上記式（７−１）及び（７−２）と同義である。ｎｐは、それぞれ独立して、１〜４の整数である。
【００２７】
上記構造単位（Ｉ−１）としては、例えば下記式で表される構造単位等が挙げられる。
【００２８】
【化４】
2015079142.tif 000005
【００２９】
【化５】
2015079142.tif 000006
【００３０】
上記式中、ＲＡは、上記式（７−１）と同義である。
【００３１】
上記構造単位（Ｉ−２）としては、例えば下記式で表される構造単位等が挙げられる。
【００３２】
【化６】
2015079142.tif 000007
【００３３】
上記式中、ＲＢは、上記式（７−２）と同義である。
【００３４】
構造単位（Ｉ）としては、構造単位（Ｉ−１）が好ましく、構造単位（Ｉ−１−１）がより好ましく、２−エチル−２−アダマンチル（メタ）アクリレートに由来する構造単位がさらに好ましい。
【００３５】
構造単位（Ｉ）の含有割合としては、［Ａ］重合体を構成する全構造単位に対して、１０モル％〜９０モル％が好ましく、２０モル％〜７０モル％がより好ましく、２５モル％〜５０モル％がさらに好ましい。構造単位（Ｉ）の含有割合を上記範囲とすることで当該感放射線性樹脂組成物の感度、ＬＷＲ性能及び解像性をより向上させることができる。
【００３６】
［構造単位（ＩＩ）］
構造単位（ＩＩ）は、フェノール性水酸基を含む構造単位である。当該感放射線性樹脂組成物は、［Ａ］重合体が構造単位（ＩＩ）を有することで、ＥＵＶ等に対する感度をより高めることができる。
【００３７】
構造単位（ＩＩ）としては、例えば下記式（８）で表される構造単位等が挙げられる。
【００３８】
【化７】
2015079142.tif 000008
【００３９】
上記式（８）中、ＲＣは、水素原子又はメチル基である。Ｌ２は、単結合又は炭素数１〜２０の２価の有機基である。ＲＤは、炭素数１〜２０の１価の有機基である。ｋは、０〜９の整数である。ｋが２以上の場合、複数のＲＤは同一でも異なっていてもよい。ｊは、１〜３の整数である。ｓは、０〜２の整数である。
【００４０】
上記ＲＣとしては、構造単位（ＩＩ）を与える単量体の共重合性の観点から、水素原子が好ましい。
【００４１】
上記Ｌ２で表される炭素数１〜２０の２価の有機基としては、例えば、炭素数１〜２０の炭化水素基、この炭化水素基の炭素−炭素間又は結合手側の末端に−Ｏ−、−ＮＨ−、−ＣＯ−、−ＣＳ−、これらを組み合わせた基等の２価のヘテロ原子含有基を含む基（α）、上記炭化水素基及び基（α）が有する水素原子の一部又は全部をヒドロキシ基、ハロゲン原子、シアノ基等の１価のヘテロ原子含有基で置換した基等が挙げられる。
【００４２】
上記ＲＤで表される炭素数１〜２０の１価の有機基としては、例えば、上記Ｌ２で表される炭素数１〜２０の２価の有機基として例示した基に１個の水素原子を加えた基等が挙げられる。
【００４３】
上記Ｌ２としては、単結合が好ましい。
上記ＲＤとしては、炭化水素基が好ましく、鎖状炭化水素基がより好ましく、アルキル基がさらに好ましく、メチル基が特に好ましい。
【００４４】
上記ｋとしては、０〜２の整数が好ましく、０又は１がより好ましく、０が特に好ましい。
上記ｊとしては、１又は２が好ましく、１がより好ましい。
上記ｓとしては、０又は１が好ましく、０がより好ましい。
【００４５】
構造単位（ＩＩ）としては、例えば、下記式（８−１）〜（８−６）で表される構造単位（以下、「構造単位（ＩＩ−１）〜（ＩＩ−６）」ともいう）等が挙げられる。
【００４６】
【化８】
2015079142.tif 000009
【００４７】
上記式（８−１）〜（８−６）中、ＲＣは、上記式（８）と同義である。
【００４８】
これらの中で、構造単位（ＩＩ−１）が好ましい。
【００４９】
構造単位（ＩＩ）の含有割合としては、［Ａ］重合体を構成する全構造単位に対して、０モル％〜９０モル％が好ましく、１０モル％〜８０モル％がより好ましく、４０モル％〜７５モル％がさらに好ましい。構造単位（ＩＩ）の含有割合を上記範囲とすることで、当該感放射線性樹脂組成物のＥＵＶ等に対する感度をさらに高めることができる。
【００５０】
［その他の構造単位］
上記［Ａ］重合体は、上記構造単位（Ｉ）及び構造単位（ＩＩ）以外にも、その他の構造単位を有していてもよい。上記その他の構造単位としては、例えば、ラクトン構造、環状カーボネート構造及びスルトン構造からなる群より選ばれる少なくとも１種を含む構造単位、極性基を含む構造単位、末端にヒドロキシ基を有しこのヒドロキシ基に隣接する炭素原子が少なくとも１個のフッ素原子又はフッ素化アルキル基を有する基を含む構造単位、非酸解離性の脂環式炭化水素基を含む構造単位等が挙げられる。上記極性基としては、例えば、ヒドロキシ基、カルボキシ基、スルホンアミド基、ケトン性カルボニル基、シアノ基、ニトロ基等が挙げられる。上記その他の構造単位の含有割合としては、［Ａ］重合体を構成する全構造単位に対して、３０モル％以下が好ましく、２０モル％以下がより好ましい。
【００５１】
＜［Ａ］重合体の合成方法＞
［Ａ］重合体は、例えば、各構造単位を与える単量体を、ラジカル重合開始剤等を用い、適当な溶媒中で重合することにより合成できる。
【００５２】
上記ラジカル重合開始剤としては、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビスイソブチレート等のアゾ系ラジカル開始剤；ベンゾイルパーオキサイド、ｔ−ブチルハイドロパーオキサイド、クメンハイドロパーオキサイド等の過酸化物系ラジカル開始剤等が挙げられる。これらの中で、ＡＩＢＮ、ジメチル２，２’−アゾビスイソブチレートが好ましく、ＡＩＢＮがより好ましい。ラジカル重合開始剤は１種又は２種以上を用いることができる。
【００５３】
上記重合に使用される溶媒としては、例えば
ｎ−ペンタン、ｎ−ヘキサン、ｎ−ヘプタン、ｎ−オクタン、ｎ−ノナン、ｎ−デカン等のアルカン類；
シクロヘキサン、シクロヘプタン、シクロオクタン、デカリン、ノルボルナン等のシクロアルカン類；
ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、メチルエチルケトン、４−メチル−２−ペンタノン、２−ヘプタノン等のケトン類；
テトラヒドロフラン、ジメトキシエタン類、ジエトキシエタン類等のエーテル類；
メタノール、エタノール、１−プロパノール、２−プロパノール、４−メチル−２−ペンタノール等のアルコール類等が挙げられる。上記重合に使用される溶媒は、１種又は２種以上を用いることができる。
【００５４】
上記重合における反応温度としては、通常４０℃〜１５０℃、５０℃〜１２０℃が好ましい。反応時間としては、通常１時間〜４８時間、１時間〜２４時間が好ましい。
【００５５】
［Ａ］重合体のゲルパーミエーションクロマトグラフィー（ＧＰＣ）によるポリスチレン換算重量平均分子量（Ｍｗ）としては特に限定されないが、１，０００以上５０，０００以下が好ましく、２，０００以上３０，０００以下がより好ましく、３，０００以上２０，０００以下がさらに好ましく、４，０００以上１５，０００が特に好ましい。［Ａ］重合体のＭｗが上記下限未満だと、得られるレジスト膜の耐熱性が低下する場合がある。［Ａ］重合体のＭｗが上記上限を超えると、レジスト膜の現像性が低下する場合がある。
【００５６】
［Ａ］重合体のＧＰＣによるポリスチレン換算数平均分子量（Ｍｎ）に対するＭｗの比（Ｍｗ／Ｍｎ（分散度））は、通常、１以上５以下であり、１以上３以下が好ましく、１以上２以下がさらに好ましい。
【００５７】
本明細書における重合体のＭｗ及びＭｎは、以下の条件によるゲルパーミエーションクロマトグラフィー（ＧＰＣ）を用いて測定される値である。
ＧＰＣカラム：東ソー社の「Ｇ２０００ＨＸＬ」２本、「Ｇ３０００ＨＸＬ」１本、「Ｇ４０００ＨＸＬ」１本
カラム温度：４０℃
溶出溶媒：テトラヒドロフラン
流速：１．０ｍＬ／分
試料濃度：１．０質量％
試料注入量：１００μＬ
検出器：示差屈折計
標準物質：単分散ポリスチレン
【００５８】
＜［Ｂ］有機化合物＞
［Ｂ］有機化合物は、１個の放射線粒子の作用により、化学構造の変化を伴って２個以上の電子を放出する有機化合物である。［Ｂ］有機化合物は、上述の特性を有する炭素原子を含む低分子量の化合物であって、好ましくは、分子量が１，０００以下、より好ましくは８００以下、さらに好ましくは６００以下の化合物である。「放射線粒子」とは、放射線におけるエネルギー授受の単位となるものをいい、放射線が電磁波の場合は光子を、放射線が粒子線の場合はその粒子をいう。上記放射線としては、例えば、電磁波として、紫外線、遠紫外線、ＥＵＶ、Ｘ線、γ線等が、粒子線として、ＥＢ、α線等の荷電粒子線などが挙げられる。これらの中で、本発明の感度向上の効果による利益がより大きい観点から、ＥＵＶ、Ｘ線、ＥＢが好ましく、ＥＵＶ、ＥＢがより好ましく、ＥＵＶがさらに好ましい。「１個の放射線粒子の作用により２個以上の電子を放出する」とは、１個の放射線粒子が［Ｂ］有機化合物にエネルギーを与えた場合に、形式上２個以上の電子が生じることを意味し、電子放出の確率等は考慮されない。「化学構造の変化を伴って電子を放出する」とは、電子放出の機構が、例えば、炭素−炭素単結合、炭素−水素結合等の共有結合の解裂若しくは生成による、又は共役系の変化等を伴う分子構造の変化によることを意味する。この化学構造の変化は、電子と共にプロトン等の放出を伴ってもよい。
【００５９】
当該感放射線性樹脂組成物は、［Ａ］重合体及び［Ｃ］酸発生体に加えて、１個の放射線粒子の作用により２個以上の電子を放出する［Ｂ］有機化合物を含有することで、ＥＵＶ等の露光において、感度に優れ、ＬＷＲ性能及び解像性にも優れたものとなる。当該感放射線性樹脂組成物が上記構成を有することで、上記効果を奏する理由については必ずしも明確ではないが、例えば、以下のように推察することができる。すなわち、当該感放射線性樹脂組成物においては、放射線粒子が［Ｂ］有機化合物に作用し、放射線粒子１個につき２個以上の電子が生じ、この生じた電子が［Ｃ］酸発生体に作用して、酸を発生することができると考えられる。このような［Ｂ］有機化合物を用いる酸発生の機構は、例えば、従来の感放射線性樹脂組成物のように、含有重合体に放射線が作用して発生する電子を介する場合に比べて高効率であり、その結果、当該感放射線性樹脂組成物は、ＥＵＶ等の露光において、感度に優れ、結果としてＬＷＲ性能及び解像性が向上する。
【００６０】
［Ｂ］有機化合物としては、１個の放射線粒子の作用により、化学構造の変化を伴って２個以上の電子を放出するものである限り特に限定されないが、例えば、下記式（１）〜（５）で表される化合物（以下、「化合物（１）〜（５）」ともいう）等が挙げられる。これらの化合物は、［Ｂ］有機化合物の中でも、電子放出の効率が高く好ましい。
【００６１】
【化９】
2015079142.tif 000010
【００６２】
上記式（１）中、Ｒ１は、水素原子又は炭素数１〜２０のアルキル基である。Ｒ２〜Ｒ６は、それぞれ独立して、水素原子又は炭素数１〜２０の１価の有機基である。Ｒ３とＲ４又はＲ５とＲ６は、互いに合わせられこれらが結合する炭素原子と共に環員数４〜２０の環構造を構成してもよい。
上記式（２）中、Ｘ１及びＸ２は、それぞれ独立して、ＯＨ又はＮＨＲ’である。Ｒ’は、水素原子又は炭素数１〜２０のアルキル基である。Ｒ１１〜Ｒ１４は、それぞれ独立して、水素原子又は炭素数１〜２０の１価の有機基である。Ｒ１１とＲ１２又はＲ１３とＲ１４は、互いに合わせられこれらが結合する炭素原子と共に環員数４〜２０の環構造を構成してもよい。
上記式（３）中、Ａｒ１〜Ａｒ５は、それぞれ独立して、置換若しくは非置換の炭素数６〜２０の１価の芳香族炭化水素基又は置換若しくは非置換の環員数４〜２０の１価の芳香族複素環基である。Ｒ２１〜Ｒ２５は、それぞれ独立して、水素原子又は炭素数１〜２０の１価の有機基である。
上記式（４）中、Ａｒ１１〜Ａｒ１６は、それぞれ独立して、置換若しくは非置換の炭素数６〜２０の１価の芳香族炭化水素基又は置換若しくは非置換の環員数４〜２０の１価の芳香族複素環基である。Ａｒ１３とＡｒ１６とは、互いに合わせられこれらが結合する炭素原子と共に環員数４〜２０の環構造を構成してもよい。
上記式（５）中、Ａｒ２１〜Ａｒ２４は、それぞれ独立して、置換若しくは非置換の炭素数６〜２０の１価の芳香族炭化水素基又は置換若しくは非置換の環員数４〜２０の１価の芳香族複素環基である。Ａｒ２１とＡｒ２２又はＡｒ２３とＡｒ２４は、互いに合わせられこれらが結合する炭素原子と共に環員数４〜２０の環構造を構成してもよい。）
【００６３】
上記Ｒ１及びＲ’で表される炭素数１〜２０のアルキル基としては、例えば、メチル基、エチル基、直鎖状又は分岐状のプロピル基、ブチル基、ペンチル基、ヘキシル基、ヘプチル基、オクチル基、デシル基、ドデシル基、テトラドデシル基、オクタドデシル基、エイコシル基等が挙げられる。
【００６４】
上記Ｒ２〜Ｒ６、Ｒ１１〜Ｒ１４及びＲ２１〜Ｒ２５で表される炭素数１〜２０の１価の有機基としては、例えば、炭素数１〜２０の１価の炭化水素基、この炭化水素基の炭素−炭素間又は結合手側の末端に２価のヘテロ原子含有基を含む基（α）、上記炭化水素基及び基（α）が有する水素原子の一部又は全部を１価のヘテロ原子含有基で置換した基等が挙げられる。
【００６５】
上記炭素数１〜２０の炭化水素基としては、例えば、炭素数１〜２０の鎖状炭化水素基、炭素数３〜２０の脂環式炭化水素基、炭素数６〜２０の芳香族炭化水素基等が挙げられる。
【００６６】
上記鎖状炭化水素基としては、例えば、
メチル基、エチル基、ｎ−プロピル基、ｉ−プロピル基、ｎ−ブチル基、ｉ−ブチル基、ｓｅｃ−ブチル基、ｔ−ブチル基、ｎ−ペンチル基等のアルキル基；
エテニル基、プロペニル基、ブテニル基、ペンテニル基等のアルケニル基；
エチニル基、プロピニル基、ブチニル基、ペンチニル基等のアルキニル基などが挙げられる。
【００６７】
上記脂環式炭化水素基としては、例えば、
シクロプロピル基、シクロブチル基、シクロペンチル基、シクロヘキシル基等の単環のシクロアルキル基；
ノルボルニル基、アダマンチル基、トリシクロデシル基等の多環のシクロアルキル基；
シクロペンテニル基、シクロヘキセニル基等の単環のシクロアルケニル基；
ノルボルネニル基、トリシクロデセニル基等の多環のシクロアルケニル基などが挙げられる。
【００６８】
上記芳香族炭化水素基としては、例えば、
フェニル基、トリル基、キシリル基、ナフチル基、アントリル基等のアリール基；
ベンジル基、フェネチル基、ナフチルメチル基等のアラルキル基などが挙げられる。
【００６９】
上記２価のヘテロ原子含有基としては、例えば、−Ｏ−、−ＮＲ’−、−Ｓ−、−ＣＯ−、−ＣＳ−、−ＳＯ２−、これらを組み合わせた基等が挙げられる。Ｒ’は、炭素数１〜１０の１価の炭化水素基である。
【００７０】
上記１価のヘテロ原子含有基としては、例えば、フッ素原子、塩素原子、臭素原子、ヨウ素原子等のハロゲン原子、ヒドロキシ基、カルボキシ基、シアノ基、ニトロ基等が挙げられる。
【００７１】
上記Ａｒ１〜Ａｒ５、Ａｒ１１〜Ａｒ１６及びＡｒ２１〜Ａｒ２４で表される炭素数６〜２０の１価の芳香族炭化水素基としては、例えば、上記芳香族炭化水素基として例示したものと同様の基等が挙げられる。
【００７２】
上記Ａｒ１〜Ａｒ５、Ａｒ１１〜Ａｒ１６及びＡｒ２１〜Ａｒ２４で表される環員数４〜２０の１価の芳香族複素環基としては、例えばピロリル基、フリル基、チエニル基、イミダゾリル基、ピラゾリル基、オキサゾリル基、イソオキサゾル基、チアゾリル基、イソチアゾリル基、ピリジル基、ピリミジル基、ピリダジル基、ピラジル基等が挙げられる。
【００７３】
上記Ａｒ１〜Ａｒ５、Ａｒ１１〜Ａｒ１６及びＡｒ２１〜Ａｒ２４で表される芳香族炭化水素基及び芳香族複素環基の置換基としては、例えば、上記Ｒ２〜Ｒ６、Ｒ１１〜Ｒ１４及びＲ２１〜Ｒ２５として例示した１価の有機基等が挙げられる。
【００７４】
上記化合物（１）としては、例えば、下記式（１−ａ）〜（１−ｆ）で表される化合物等が挙げられる。
【００７５】
【化１０】
2015079142.tif 000011
【００７６】
上記化合物（２）としては、例えば、下記式（２−ａ）〜（２−ｆ）で表される化合物等が挙げられる。
【００７７】
【化１１】
2015079142.tif 000012
【００７８】
上記化合物（３）としては、例えば、下記式（３−ａ）で表される化合物等が挙げられる。
【００７９】
【化１２】
2015079142.tif 000013
【００８０】
上記化合物（４）としては、例えば、下記式（４−ａ）で表される化合物、下記式（４−ｂ）で表される化合物等が挙げられる。
【００８１】
【化１３】
2015079142.tif 000014
【００８２】
上記化合物（５）としては、例えば、下記式（５−ａ）〜（５−ｃ）で表される化合物等が挙げられる。
【００８３】
【化１４】
2015079142.tif 000015
【００８４】
［Ｂ］有機化合物の含有量としては、［Ａ］重合体１００質量部に対して、０．１質量部以上３０質量部以下が好ましく、０．５質量部以上２０質量部以下がより好ましく、１質量部以上１０質量部以下がさらに好ましい。
［Ｂ］有機化合物の含有量としては、［Ｃ］酸発生体１００モル％に対して、０．５モル％以上１５０モル％以下が好ましく、２．５モル％以上１００モル％以下がより好ましく、５モル％以上５０モル％以下がさらに好ましい。
［Ｂ］有機化合物の含有量を上記範囲とすることで、当該感放射線性樹脂組成物のＥＵＶ等に対する感度をさらに向上させることができる。［Ｂ］有機化合物は、１種又は２種以上を用いることができる。
【００８５】
＜［Ｃ］酸発生体＞
［Ｃ］酸発生体は、放射線の作用により酸を発生する物質である。［Ｃ］酸発生体は、放射線粒子の作用により［Ｂ］有機化合物が放出した電子の作用によって、酸を生じることができると考えられ、この酸の作用により［Ａ］重合体の露光部における酸解離性基が解離して、現像液への溶解性が変化することによりレジストパターンを形成することができる。当該感放射線性樹脂組成物における［Ｃ］酸発生体の含有形態としては、後述するような低分子化合物の形態（以下、適宜「［Ｃ］酸発生剤」ともいう）でも、重合体の一部として組み込まれた形態でも、これらの両方の形態でもよい。
【００８６】
［Ｃ］酸発生体としては、例えば、下記式（６）で表される化合物（以下、「化合物（６）」ともいう）等が挙げられる。
【００８７】
【化１５】
2015079142.tif 000016
【００８８】
上記式（６）中、Ｑ＋は、１価の感放射線性オニウムカチオンである。Ｙ−は、１価の有機オキソ酸アニオンである。
【００８９】
上記Ｑ＋で表される１価の感放射線性オニウムカチオンとしては、例えば、スルホニウムカチオン、テトラヒドロチオフェニウムカチオン、ヨードニウムカチオン、ホスホニウムカチオン、ジアゾニウムカチオン、ピリジニウムカチオン等が挙げられる。これらのうち、スルホニウムカチオン、テトラヒドロチオフェニウムカチオン、ヨードニウムカチオンが好ましい。
【００９０】
上記スルホニウムカチオンとしては、下記式（Ｑ−１）で表されるカチオン等が、上記テトラヒドロチオフェニウムカチオンとしては、下記式（Ｑ−２）で表されるカチオン等が、上記ヨードニウムカチオンとしては、下記式（Ｑ−３）で表されるカチオン等がそれぞれ挙げられる。
【００９１】
【化１６】
2015079142.tif 000017
【００９２】
上記式（Ｑ−１）中、Ｒａ１、Ｒａ２及びＲａ３は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＰ若しくは−ＳＯ２−ＲＱであるか、又はこれらの基のうちの２つ以上が互いに合わせられ構成される環構造を表す。ＲＰ及びＲＱは、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ１、ｋ２及びｋ３は、それぞれ独立して０〜５の整数である。Ｒａ１〜Ｒａ３並びにＲＰ及びＲＱがそれぞれ複数の場合、複数のＲａ１〜Ｒａ３並びにＲＰ及びＲＱはそれぞれ同一でも異なっていてもよい。
上記式（Ｑ−２）中、Ｒｂ１は、置換若しくは非置換の炭素数１〜８の直鎖状若しくは分岐状のアルキル基、又は置換若しくは非置換の炭素数６〜８の芳香族炭化水素基である。ｋ４は０〜７の整数である。Ｒｂ１が複数の場合、複数のＲｂ１は同一でも異なっていてもよく、また、複数のＲｂ１は、互いに合わせられ構成される環構造を表してもよい。Ｒｂ２は、置換若しくは非置換の炭素数１〜７の直鎖状若しくは分岐状のアルキル基、又は置換若しくは非置換の炭素数６若しくは７の芳香族炭化水素基である。ｋ５は、０〜６の整数である。Ｒｂ２が複数の場合、複数のＲｂ２は同一でも異なっていてもよく、また、複数のＲｂ２は互いに合わせられ構成される環構造を表してもよい。ｔは、０〜３の整数である。
上記式（Ｑ−３）中、Ｒｃ１及びＲｃ２は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＲ若しくは−ＳＯ２−ＲＳであるか、又はこれらの基のうちの２つ以上が互いに合わせられ構成される環構造を表す。ＲＲ及びＲＳは、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｋ６及びｋ７は、それぞれ独立して０〜５の整数である。Ｒｃ１、Ｒｃ２、ＲＲ及びＲＳがそれぞれ複数の場合、複数のＲｃ１、Ｒｃ２、ＲＲ及びＲＳはそれぞれ同一でも異なっていてもよい。
【００９３】
上記Ｒａ１〜Ｒａ３、Ｒｂ１、Ｒｂ２、Ｒｃ１及びＲｃ２で表される非置換の直鎖状のアルキル基としては、例えば、メチル基、エチル基、ｎ−プロピル基、ｎ−ブチル基等が挙げられる。
上記Ｒａ１〜Ｒａ３、Ｒｂ１、Ｒｂ２、Ｒｃ１及びＲｃ２で表される非置換の分岐状のアルキル基としては、例えば、ｉ−プロピル基、ｉ−ブチル基、ｓｅｃ−ブチル基、ｔ−ブチル基等が挙げられる。
上記Ｒａ１〜Ｒａ３、Ｒｃ１及びＲｃ２で表される非置換の芳香族炭化水素基としては、例えば、フェニル基、トリル基、キシリル基、メシチル基、ナフチル基等のアリール基；ベンジル基、フェネチル基等のアラルキル基等が挙げられる。
上記Ｒｂ１及びＲｂ２で表される非置換の芳香族炭化水素基としては、例えば、フェニル基、トリル基、ベンジル基等が挙げられる。
【００９４】
上記アルキル基及び芳香族炭化水素基が有する水素原子を置換していてもよい置換基としては、例えば、フッ素原子、塩素原子、臭素原子、ヨウ素原子等のハロゲン原子、ヒドロキシ基、カルボキシ基、シアノ基、ニトロ基、アルコキシ基、アルコキシカルボニル基、アルコキシカルボニルオキシ基、アシル基、アシロキシ基等が挙げられる。
これらの中で、ハロゲン原子が好ましく、フッ素原子がより好ましい。
【００９５】
上記Ｒａ１〜Ｒａ３、Ｒｂ１、Ｒｂ２、Ｒｃ１及びＲｃ２としては、非置換の直鎖状又は分岐状のアルキル基、フッ素化アルキル基、非置換の１価の芳香族炭化水素基、−ＯＳＯ２−Ｒ”、−ＳＯ２−Ｒ”が好ましく、フッ素化アルキル基、非置換の１価の芳香族炭化水素基がより好ましく、フッ素化アルキル基がさらに好ましい。Ｒ”は、非置換の１価の脂環式炭化水素基又は非置換の１価の芳香族炭化水素基である。
【００９６】
上記式（Ｑ−１）におけるｋ１、ｋ２及びｋ３としては、０〜２の整数が好ましく、０又は１がより好ましく、０がさらに好ましい。
上記式（Ｑ−２）におけるｋ４としては、０〜２の整数が好ましく、０又は１がより好ましく、１がさらに好ましい。ｋ５としては、０〜２の整数が好ましく、０又は１がより好ましく、０がさらに好ましい。
上記式（Ｑ−３）におけるｋ６及びｋ７としては、０〜２の整数が好ましく、０又は１がより好ましく、０がさらに好ましい。
【００９７】
上記Ｑ＋で表される１価の感放射線性オニウムカチオンとしては、これらの中で、スルホニウムカチオンが好ましく、上記式（Ｑ−１）で表されるカチオンがより好ましく、トリフェニルスルホニウムカチオンがさらに好ましい。
【００９８】
上記Ｙ−で表される１価の有機オキソ酸アニオンとしては、例えば、スルホン酸アニオン、カルボン酸アニオン、有機リン酸アニオン、有機ホスホン酸アニオン等が挙げられる。これらの中で、スルホン酸アニオンが好ましい。
【００９９】
上記スルホン酸アニオンとしては、下記式（Ｙ−１）で表されるアニオンが好ましい。
【０１００】
【化１７】
2015079142.tif 000018
【０１０１】
上記式（Ｙ−１）中、Ｒａは、環員数６以上の脂環構造を含む１価の基又は環員数６以上の脂肪族複素環構造を含む１価の基である。Ｒｂは、炭素数１〜１０のフッ素化アルカンジイル基である。
【０１０２】
Ｒａにおける「環員数」とは、脂環構造及び脂肪族複素環構造の環を構成する原子数をいい、多環の脂環構造及び多環の脂肪族複素環構造の場合は、この多環を構成する原子数をいう。
【０１０３】
上記Ｒａで表される環員数６以上の脂環構造を含む１価の基としては、例えば、
シクロオクチル基、シクロノニル基、シクロデシル基、シクロドデシル基等の単環のシクロアルキル基；
シクロオクテニル基、シクロデセニル基等の単環のシクロアルケニル基；
ノルボルニル基、アダマンチル基、トリシクロデシル基、テトラシクロドデシル基等の多環のシクロアルキル基；
ノルボルネニル基、トリシクロデセニル基等の多環のシクロアルケニル基等が挙げられる。
【０１０４】
上記Ｒａで表される環員数６以上の脂肪族複素環構造を含む１価の基としては、例えば、
ノルボルナンラクトン−イル基等のラクトン構造を含む基；
ノルボルナンスルトン−イル基等のスルトン構造を含む基；
オキサシクロヘプチル基、オキサノルボルニル基等の酸素原子含有複素環基；
アザシクロヘキシル基、アザシクロヘプチル基、ジアザビシクロオクタン−イル基等の窒素原子含有複素環基；
チアシクロヘプチル基、チアノルボルニル基等のイオウ原子含有複素環基等が挙げられる。
【０１０５】
Ｒａで表される基の環員数しては、上述の酸の拡散長がさらに適度になる観点から、８以上が好ましく、９〜１５がより好ましく、１０〜１３がさらに好ましい。
【０１０６】
Ｒａとしては、これらの中で、環員数９以上の脂環構造を含む１価の基、環員数９以上の脂肪族複素環構造を含む１価の基が好ましく、アダマンチル基、ヒドロキシアダマンチル基、ノルボルナンラクトン−イル基、５−オキソ−４−オキサトリシクロ［４．３．１．１３，８］ウンデカン−イル基がより好ましく、アダマンチル基がさらに好ましい。
【０１０７】
上記Ｒｂで表される炭素数１〜１０のフッ素化アルカンジイル基としては、例えば、メタンジイル基、エタンジイル基、プロパンジイル基等の炭素数１〜１０のアルカンジイル基が有する水素原子の１個以上をフッ素原子で置換した基等が挙げられる。
これらの中で、ＳＯ３−基に隣接する炭素原子にフッ素原子が結合しているフッ素化アルカンジイル基が好ましく、ＳＯ３−基に隣接する炭素原子に２個のフッ素原子が結合しているフッ素化アルカンジイル基がより好ましく、１，１−ジフルオロメタンジイル基、１，１−ジフルオロエタンジイル基、１，１，３，３，３−ペンタフルオロ−１，２−プロパンジイル基、１，１，２，２−テトラフルオロエタンジイル基、１，１，２，２−テトラフルオロブタンジイル基、１，１，２，２−テトラフルオロヘキサンジイル基がさらに好ましい。
【０１０８】
上記化合物（６）としては、例えば、下記式（６−１）〜（６−１３）で表される化合物（以下、「化合物（６−１）〜（６−１３）」ともいう）等が挙げられる。
【０１０９】
【化１８】
2015079142.tif 000019
【０１１０】
上記式（６−１）〜（６−１３）中、Ｑ＋は、上記式（６）と同義である。
【０１１１】
これらの中で、化合物（６−２）が好ましい。
【０１１２】
［Ｃ］酸発生体の含有量としては、［Ｃ］酸発生体が［Ｃ］酸発生剤の場合、［Ａ］重合体１００質量部に対して、１質量部以上６０質量部以下が好ましく、３質量部以上５０質量部以下がより好ましく、５質量部以上４０質量部以下がさらに好ましく、１０質量部以上３０質量部以下が特に好ましい。［Ｃ］酸発生剤の含有量を上記範囲とすることで、当該感放射線性樹脂組成物の感度、ＬＷＲ性能及び解像性をさらに向上させることができる。［Ｃ］酸発生体は、１種又は２種以上を用いることができる。
＜［Ｄ］酸拡散制御体＞
［Ｄ］酸拡散制御体は、露光により［Ｃ］酸発生体等から生じる酸のレジスト膜中における拡散現象を制御し、未露光部における好ましくない化学反応を抑制する効果を奏する成分である。感放射線性樹脂組成物が［Ｄ］酸拡散制御体を含有することで、得られる感放射線性樹脂組成物の貯蔵安定性がさらに向上し、またレジストとしての解像度がさらに向上する。また、露光から現像処理までの引き置き時間の変動によるレジストパターンの線幅変化を抑えることができ、プロセス安定性に極めて優れた組成物が得られる。当該感放射線性樹脂組成物における［Ｄ］酸拡散制御体の含有形態としては、後述する化合物の形態（以下、適宜「［Ｄ］酸拡散制御剤」と称する）でも、重合体の一部として組み込まれた形態でも、これらの両方の形態でもよい。
【０１１３】
［Ｄ］酸拡散制御剤としては、例えばアミン化合物、アミド基含有化合物、ウレア化合物、含窒素複素環化合物等が挙げられる。
【０１１４】
アミン化合物としては、例えばｎ−ペンチルアミン等のモノ（シクロ）アルキルアミン類；ジｎ−ペンチルアミン等のジ（シクロ）アルキルアミン類；トリｎ−ペンチルアミン等のトリ（シクロ）アルキルアミン類；置換アルキルアニリン又はその誘導体；エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス（１−（４−アミノフェニル）−１−メチルエチル）ベンゼン、１，３−ビス（１−（４−アミノフェニル）−１−メチルエチル）ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ’’Ｎ’’−ペンタメチルジエチレントリアミン、トリエタノールアミン等が挙げられる。これらの中で、トリ（シクロ）アルキルアミン類が好ましく、トリｎ−ペンチルアミンがより好ましい。
【０１１５】
アミド基含有化合物としては、例えばＮ−ｔ−ブトキシカルボニル基含有アミノ化合物、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０１１６】
ウレア化合物としては、例えば尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０１１７】
含窒素複素環化合物としては、例えばイミダゾール類；ピリジン類；ピペラジン類；ピラジン、ピラゾール、ピリダジン、キノザリン、プリン、ピロリジン、ピペリジン、Ｎ−（ｔ−アミロキシカルボニル）−４−ヒドロキシピペリジン、ピペリジンエタノール、３−ピペリジノ−１，２−プロパンジオール、モルホリン、Ｎ−（ｔ−ブトキシカルボニル）−２−ヒドロキシメチルピロリジン、４−メチルモルホリン、１−（４−モルホリニル）エタノール、４−アセチルモルホリン、３−（Ｎ−モルホリノ）−１，２−プロパンジオール、１，４−ジメチルピペラジン、１，４−ジアザビシクロ［２．２．２］オクタン、Ｎ−（ｔ−ブトキシカルボニル）−２−フェニルベンゾイミダゾール等が挙げられる。これらのうち、Ｎ−（ｔ−アミロキシカルボニル）−４−ヒドロキシピペリジン、Ｎ−（ｔ−ブトキシカルボニル）−２−ヒドロキシメチルピロリジン、Ｎ−（ｔ−ブトキシカルボニル）−２−フェニルベンゾイミダゾール、２，４，５−トリフェニルイミダゾールが好ましい。
【０１１８】
また、［Ｄ］酸拡散制御剤として、露光により感光し弱酸を発生する光崩壊性塩基を用いることもできる。この光崩壊性塩基は、未露光部ではアニオンによる高い酸捕捉機能が発揮されクエンチャーとして機能し、露光部から拡散する酸を捕捉する一方、露光部では発生したプロトンがアニオンに結合して酸捕捉機能が消滅する。すなわち、未露光部のみにおいてクエンチャーとして機能するため、脱保護反応のコントラストが向上し、結果として当該感放射線性樹脂組成物の解像度及びＬＷＲ性能をより向上させることができる。上記光崩壊性塩基としては、例えば、感放射線性を有するオニウム塩化合物等が挙げられる。上記感放射線性を有するオニウム塩化合物としては、例えば下記式（９−１）で表されるスルホニウム塩、下記式（９−２）で表されるヨードニウム塩等が挙げられる。
【０１１９】
【化１９】
2015079142.tif 000020
【０１２０】
上記式（９−１）及び式（９−２）中、Ｒ３１〜Ｒ３５はそれぞれ独立して、水素原子、アルキル基、アルコキシ基、ヒドロキシ基、ハロゲン原子又は−ＳＯ２−ＲＥである。ＲＥは、アルキル基、シクロアルキル基、アルコキシ基又はアリール基である。Ｅ−及びＧ−は、ＯＨ−、Ｒα−ＣＯＯ−、ＲＦ−ＳＯ２−Ｎ−−Ｒα、Ｒα−ＳＯ３−又は下記式（９−３）で表されるアニオンである。Ｒαは炭素数１〜１０の直鎖状若しくは分岐状のアルキル基、炭素数３〜２０のシクロアルキル基、炭素数６〜３０のアリール基、炭素数７〜３０のアラルキル基である。上記アルキル基、シクロアルキル基、アリール基及びアラルキル基の水素原子の一部又は全部は置換されていてもよい。ＲＦは、炭素数１〜１０の直鎖状若しくは分岐状のアルキル基、置換基を有してもいてもよい炭素数３〜２０のシクロアルキル基である。上記アルキル基及びシクロアルキル基の水素原子の一部又は全部はフッ素原子で置換されていてもよい。但し、Ｅ−及びＧ−がＲα−ＳＯ３−の場合、ＳＯ３−が結合する炭素原子にフッ素原子が結合する場合はない。
【０１２１】
【化２０】
2015079142.tif 000021
【０１２２】
上記式（９−３）中、Ｒβは、水素原子の一部又は全部がフッ素原子で置換されていてもよい炭素数１〜１２の直鎖状若しくは分岐状のアルキル基、又は炭素数１〜１２の直鎖状若しくは分岐状のアルコキシ基である。ｕは、０〜２の整数である。
【０１２３】
上記光崩壊性塩基としては、例えば下記式で表される化合物等が挙げられる。
【０１２４】
【化２１】
2015079142.tif 000022
【０１２５】
これらの中で、トリフェニルスルホニウムサリチレート、トリフェニルスルホニウム１０−カンファースルホネートが好ましい。
【０１２６】
［Ｄ］酸拡散制御体の含有量としては、［Ｄ］酸拡散制御体が［Ｄ］酸拡散制御剤の場合、［Ａ］重合体１００質量部に対して、０質量部〜１０質量部が好ましく、０．５質量部〜７質量部がより好ましい。［Ｄ］酸拡散制御剤の含有量を上記範囲とすることで、当該感放射線性樹脂組成物のＬＷＲ性能及び解像性をさらに向上させることができる。［Ｄ］酸拡散制御体は、１種単独で又は２種以上を用いてもよい。
【０１２７】
＜［Ｅ］溶媒＞
当該感放射線性樹脂組成物は、通常、［Ｅ］溶媒を含有する。［Ｅ］溶媒としては、［Ａ］重合体、［Ｂ］有機化合物、［Ｃ］酸発生体及び任意成分を溶解又は分散できるものであれば特に限定されない。［Ｅ］溶媒としては、例えば、アルコール系溶媒、エーテル系溶媒、ケトン系有機溶媒、アミド系溶媒、エステル系溶媒、炭化水素系溶媒等が挙げられる。
【０１２８】
アルコール系溶媒としては、例えば、
メタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、４−メチル−２−ペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒などが挙げられる。
【０１２９】
エーテル系溶媒としては、例えば、
ジプロピルエーテル、ジイソプロピルエーテル、ブチルメチルエーテル、ブチルエチルエーテル、ブチルプロピルエーテル、ジブチルエーテル、ジイソブチルエーテル、ｔｅｒｔ−ブチル−メチルエーテル、ｔｅｒｔ−ブチルエチルエーテル、ｔｅｒｔ−ブチルプロピルエーテル、ジ−ｔｅｒｔ−ブチルエーテル、ジペンチルエーテル、ジイソアミルエーテル、シクロペンチルメチルエーテル、シクロヘキシルメチルエーテル、シクロペンチルエチルエーテル、シクロヘキシルエチルエーテル、シクロペンチルプロピルエーテル、シクロペンチル−２−プロピルエーテル、シクロヘキシルプロピルエーテル、シクロヘキシル−２−プロピルエーテル、シクロペンチルブチルエーテル、シクロペンチル−ｔｅｒｔ−ブチルエーテル、シクロヘキシルブチルエーテル、シクロヘキシル−ｔｅｒｔ−ブチルエーテル、アニソール、ジエチルエーテル、ジフェニルエーテル等の鎖状エーテル系溶媒；
テトラヒドロフラン、ジオキサン等の環状エーテル系溶媒などが挙げられる。
【０１３０】
ケトン系溶媒としては、例えば、アセトン、メチルエチルケトン、メチル−ｎ−プロピルケトン、メチル−ｎ−ブチルケトン、ジエチルケトン、メチル−ｉｓｏ−ブチルケトン、メチル−ｎ−アミルケトン、エチル−ｎ−ブチルケトン、メチル−ｎ−ヘキシルケトン、ジ−ｉｓｏ−ブチルケトン、トリメチルノナノン、２，４−ペンタンジオン、アセトニルアセトン、アセトフェノン等の鎖状ケトン系溶媒；
シクロペンタノン、シクロヘキサノン、シクロヘプタノン、シクロオクタノン、メチルシクロヘキサノン等の環状ケトン系溶媒などが挙げられる。
【０１３１】
アミド系溶媒としては、例えば、
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒；
Ｎ−メチルピロリドン、Ｎ，Ｎ’−ジメチルイミダゾリジノン等の環状アミド系溶媒などが挙げられる。
【０１３２】
エステル系溶媒としては、例えば、
酢酸メチル、酢酸エチル、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、ジ酢酸グリコール、酢酸メトキシトリグリコール等の酢酸エステル系溶媒；
酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル等の多価アルコール部分エーテルアセテート系溶媒；
プロピオン酸エチル、プロピオン酸ｎ−ブチル、プロピオン酸ｉｓｏ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル、アセト酢酸メチル、アセト酢酸エチル等の酢酸以外のカルボン酸エステル系溶媒；
γ−ブチロラクトン、γ−バレロラクトン等のラクトン系溶媒；
ジエチルカーボネート、プロピレンカーボネート等のカーボネート系溶媒などが挙げられる。
【０１３３】
炭化水素系溶媒としては、例えば
ｎ−ペンタン、ｉｓｏ−ペンタン、ｎ−ヘキサン、ｉｓｏ−ヘキサン、ｎ−ヘプタン、ｉｓｏ−ヘプタン、２，２，４−トリメチルペンタン、ｎ−オクタン、ｉｓｏ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉｓｏ−プロピルベンゼン、ジエチルベンゼン、ｉｓｏ−ブチルベンゼン、トリエチルベンゼン、ジ−ｉｓｏ−プロピルベンセン、ｎ−アミルナフタレン等の芳香族炭化水素系溶媒等が挙げられる。
【０１３４】
これらの中で、エステル系溶媒、ケトン系溶媒が好ましく、多価アルコール部分エーテルアセテート系溶媒、環状ケトン系溶媒がより好ましく、酢酸プロピレングリコールモノメチルエーテル、シクロヘキサノンがさらに好ましい。［Ｅ］溶媒は、１種単独で又は２種以上を用いてもよい。
【０１３５】
＜その他の任意成分＞
当該感放射線性樹脂組成物は、その他の任意成分として、例えば、フッ素原子含有重合体、界面活性剤、脂環式骨格含有化合物、増感剤等を含有していてもよい。当該感放射線性樹脂組成物は、その他の任意成分をそれぞれ１種又は２種以上含有していてもよい。
【０１３６】
（フッ素原子含有重合体）
当該感放射線性樹脂組成物は、フッ素原子含有重合体をさらに含有していてもよい（但し、［Ａ］重合体に該当するものを除く）。当該感放射線性樹脂組成物がフッ素原子含有重合体を含有すると、レジスト膜を形成した際に、レジスト膜中のフッ素原子含有重合体の撥油性的特徴により、その分布がレジスト膜表面近傍に偏在化する傾向があり、液浸露光等の際における酸発生体、酸拡散制御体等が液浸媒体に溶出することを抑制することができる。また、このフッ素原子含有重合体の撥水性的特徴により、レジスト膜と液浸媒体との前進接触角を所望の範囲に制御でき、バブル欠陥の発生を抑制することができる。さらに、レジスト膜と液浸媒体との後退接触角が高くなり、水滴が残らずに高速でのスキャン露光が可能となる。このように、当該感放射線性樹脂組成物は、フッ素原子含有重合体をさらに含有することで、液浸露光法に好適なレジスト膜を形成することができる。
【０１３７】
上記フッ素原子含有重合体としては、フッ素原子を有する重合体である限り特に限定されないが、当該感放射線性樹脂組成物の［Ａ］重合体よりも、フッ素原子含有率（質量％）が高いことが好ましい。上記フッ素原子含有重合体としては、例えば、１，１，１，３，３，３−ヘキサフルオロ−２−プロピル（メタ）アクリレート、１，１−ジフルオロ−１−エトキシカルボニルブタン−２−イル（メタ）アクリレート等のフッ素原子を含む（メタ）アクリレート等に由来する構造単位を有するもの等が挙げられる。
【０１３８】
上記フッ素原子含有重合体の含有量としては、［Ａ］重合体１００質量部に対して、０．１質量部〜２０質量部が好ましく、０．５質量部〜１５質量部がより好ましく、１質量部〜１０質量部がさらに好ましい。
【０１３９】
（界面活性剤）
界面活性剤は、塗布性、ストリエーション、現像性等を改良する効果を奏する。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤；市販品としては、ＫＰ３４１（信越化学工業社）、ポリフローＮｏ．７５、同Ｎｏ．９５（以上、共栄社化学社）、エフトップＥＦ３０１、同ＥＦ３０３、同ＥＦ３５２（以上、トーケムプロダクツ社）、メガファックＦ１７１、同Ｆ１７３（以上、ＤＩＣ社）、フロラードＦＣ４３０、同ＦＣ４３１（以上、住友スリーエム社）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子社）等が挙げられる。
上記界面活性剤の含有量としては、［Ａ］重合体１００質量部に対して、通常２質量部以下である。
【０１４０】
（脂環式骨格含有化合物）
脂環式骨格含有化合物は、ドライエッチング耐性、パターン形状、基板との接着性等を改善する効果を奏する。
【０１４１】
脂環式骨格含有化合物としては、例えば
１−アダマンタンカルボン酸、２−アダマンタノン、１−アダマンタンカルボン酸ｔ−ブチル等のアダマンタン誘導体類；
デオキシコール酸ｔ−ブチル、デオキシコール酸ｔ−ブトキシカルボニルメチル、デオキシコール酸２−エトキシエチル等のデオキシコール酸エステル類；
リトコール酸ｔ−ブチル、リトコール酸ｔ−ブトキシカルボニルメチル、リトコール酸２−エトキシエチル等のリトコール酸エステル類；
３−〔２−ヒドロキシ−２，２−ビス（トリフルオロメチル）エチル〕テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。
上記脂環式骨格含有化合物の含有量としては、［Ａ］重合体１００質量部に対して、通常５質量部以下である。
【０１４２】
（増感剤）
増感剤は、［Ｃ］酸発生体等からの酸の生成量を増加する作用を示すものであり、当該感放射線性樹脂組成物の「みかけの感度」を向上させる効果を奏する。
【０１４３】
増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。これらの増感剤は、単独で使用してもよく２種以上を併用してもよい。
上記増感剤の含有量としては、［Ａ］重合体１００質量部に対して、通常２質量部以下である。
【０１４４】
＜感放射線性樹脂組成物の調製方法＞
当該感放射線性樹脂組成物は、例えば、［Ａ］重合体、［Ｂ］有機化合物、［Ｃ］酸発生体、必要に応じて［Ｄ］酸拡散制御体、［Ｅ］溶媒等を所定の割合で混合することにより調製できる。当該感放射線性樹脂組成物は、混合後に、例えば、孔径０．２μｍ程度のフィルター等でろ過することが好ましい。当該感放射線性樹脂組成物の固形分濃度としては、０．１質量％〜５０質量％が好ましく、０．５質量％〜３０質量％がより好ましく、１質量％〜２０質量％がさらに好ましい。
【０１４５】
＜レジストパターン形成方法＞
当該レジストパターン形成方法は、
レジスト膜を形成する工程（以下、「レジスト膜形成工程」ともいう）、
上記レジスト膜を露光する工程（以下、「露光工程」ともいう）、及び
上記露光されたレジスト膜を現像する工程（以下、「現像工程」ともいう）
を備え、
上記レジスト膜を当該感放射線性樹脂組成物により形成する。
【０１４６】
上記露光工程で用いる放射線としては、ＥＵＶ、Ｘ線、ＥＢが好ましい。
【０１４７】
当該レジストパターン形成方法によれば、上述の当該感放射線性樹脂組成物を用いるので、高い感度を発揮しつつ、ＬＷＲが小さく解像度の高いレジストパターンを形成することができる。
以下、各工程について説明する。
【０１４８】
［レジスト膜形成工程］
本工程では、当該感放射線性樹脂組成物でレジスト膜を形成する。このレジスト膜を形成する基板としては、例えばシリコンウェハ、二酸化シリコン、アルミニウムで被覆されたウェハ等の従来公知のもの等が挙げられる。また、例えば特公平６−１２４５２号公報や特開昭５９−９３４４８号公報等に開示されている有機系又は無機系の反射防止膜を基板上に形成してもよい。塗布方法としては、例えば、回転塗布（スピンコーティング）、流延塗布、ロール塗布等が挙げられる。塗布した後に、必要に応じて、塗膜中の溶媒を揮発させるため、プレベーク（ＰＢ）を行ってもよい。ＰＢ温度としては、通常６０℃〜１４０℃であり、８０℃〜１２０℃が好ましい。ＰＢ時間としては、通常５秒〜６００秒であり、１０秒〜３００秒が好ましい。形成されるレジスト膜の膜厚としては、１０ｎｍ〜１，０００ｎｍが好ましく、１０ｎｍ〜５００ｎｍがより好ましい。
【０１４９】
液浸露光の場合などにおいて、上記形成したレジスト膜上に保護膜を設けてもよい。液浸用の保護膜としては、現像工程の前に溶媒により剥離する溶媒剥離型保護膜（例えば特開２００６−２２７６３２号公報参照）、現像工程の現像と同時に剥離する現像液剥離型保護膜（例えばＷＯ２００５−０６９０７６号公報、ＷＯ２００６−０３５７９０号公報参照）のいずれを用いてもよい。但し、スループットの観点からは、現像液剥離型液浸用保護膜を用いることが好ましい。
【０１５０】
［露光工程］
本工程では、上記レジスト膜形成工程で形成されたレジスト膜に、例えば、フォトマスク等を介して（場合によっては、水等の液浸媒体を介して）、放射線を照射し露光する。露光に用いる放射線としては、目的とするパターンの線幅に応じて、例えば、可視光線、紫外線、遠紫外線、ＥＵＶ、Ｘ線、γ線等の電磁波；ＥＢ、α線等の荷電粒子線などが挙げられる。これらの中でも、遠紫外線、ＥＵＶ（１３．５ｎｍ）、Ｘ線、ＥＢが好ましく、ＡｒＦエキシマレーザー光（波長１９３ｎｍ）、ＫｒＦエキシマレーザー光（波長２４８ｎｍ）、ＥＵＶ、Ｘ線、電子線がより好ましく、ＥＵＶ、Ｘ線、ＥＢがさらに好ましく、ＥＵＶが特に好ましい。放射線としてＥＵＶ、Ｘ線及びＥＢを用いる場合、本発明の感度向上の効果を得る利益がより大きく好ましい。
【０１５１】
露光を液浸露光により行う場合、用いる液浸液としては、例えば、水、フッ素系不活性液体等が挙げられる。液浸液は、露光波長に対して透明であり、かつ膜上に投影される光学像の歪みを最小限に留めるよう屈折率の温度係数ができる限り小さい液体が好ましいが、特に露光光源がＡｒＦエキシマレーザー光（波長１９３ｎｍ）である場合、上述の観点に加えて、入手の容易さ、取り扱いのし易さといった点から水を用いるのが好ましい。水を用いる場合、水の表面張力を減少させるとともに、界面活性力を増大させる添加剤をわずかな割合で添加しても良い。この添加剤は、ウェハ上のレジスト膜を溶解させず、かつレンズの下面の光学コートに対する影響が無視できるものが好ましい。使用する水としては蒸留水が好ましい。
【０１５２】
上記露光の後、ポストエクスポージャーベーク（ＰＥＢ）を行い、レジスト膜の露光された部分において、露光により［Ｃ］酸発生体等から発生した酸による［Ａ］重合体が有する酸解離性基の解離を促進させることが好ましい。このＰＥＢによって、露光部と未露光部とで現像液に対する溶解性の差がより大きくなる。ＰＥＢ温度としては、通常５０℃〜１８０℃であり、８０℃〜１３０℃が好ましい。ＰＥＢ時間としては、通常５秒〜６００秒であり、１０秒〜３００秒が好ましい。
【０１５３】
［現像工程］
本工程では、上記露光工程で露光されたレジスト膜を現像する。これにより、所定のレジストパターンを形成することができる。現像後は、水又はアルコール等のリンス液で洗浄し、乾燥することが一般的である。
【０１５４】
上記現像に用いる現像液としては、
アルカリ現像の場合、例えば、水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド（ＴＭＡＨ）、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ水溶液等が挙げられる。これらの中でも、ＴＭＡＨ水溶液が好ましく、２．３８質量％ＴＭＡＨ水溶液がより好ましい。
また、有機溶媒現像の場合、炭化水素系溶媒、エーテル系溶媒、エステル系溶媒、ケトン系溶媒、アルコール系溶媒等の有機溶媒、又は有機溶媒を含有する溶媒が挙げられる。上記有機溶媒としては、例えば、上述の感放射線性樹脂組成物の［Ｅ］溶媒として列挙した溶媒の１種又は２種以上等が挙げられる。これらの中でも、エステル系溶媒、ケトン系溶媒が好ましい。エステル系溶媒としては、酢酸エステル系溶媒が好ましく、酢酸ｎ−ブチルがより好ましい。ケトン系溶媒としては、鎖状ケトンが好ましく、２−ヘプタノンがより好ましい。現像液中の有機溶媒の含有量としては、８０質量％以上が好ましく、９０質量％以上がより好ましく、９５質量％以上がさらに好ましく、９９質量％以上が特に好ましい。現像液中の有機溶媒以外の成分としては、例えば、水、シリコンオイル等が挙げられる。
【０１５５】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【実施例】
【０１５６】
以下、実施例により本発明をさらに具体的に説明するが、本発明はこれらの実施例に限定されるものではない。各種物性値の測定方法を以下に示す。
【０１５７】
［Ｍｗ、Ｍｎ及びＭｗ／Ｍｎ］
ＧＰＣカラム（東ソー社の「Ｇ２０００ＨＸＬ」２本、「Ｇ３０００ＨＸＬ」１本、「Ｇ４０００ＨＸＬ」１本）を用い、流量：１．０ｍＬ／分、溶出溶媒：テトラヒドロフラン、試料濃度：１．０質量％、試料注入量：１００μＬ、カラム温度：４０℃、検出器：示差屈折計の分析条件で、単分散ポリスチレンを標準とするＧＰＣにより測定した。また、分散度（Ｍｗ／Ｍｎ）は、Ｍｗ及びＭｎの測定結果より算出した。
【０１５８】
［１３Ｃ−ＮＭＲ分析]
核磁気共鳴装置（日本電子社の「ＪＮＭ−ＥＣＸ４００」）を用い、測定溶媒として重クロロホルムを使用して、各重合体における各構造単位の含有割合（モル％）を求める分析を行った。
【０１５９】
＜［Ａ］重合体の合成＞
［Ａ］重合体の合成に用いた単量体を以下に示す。
【０１６０】
【化２２】
2015079142.tif 000023
【０１６１】
［合成例１］（重合体（Ａ−１）の合成）
上記化合物（Ｍ−１）５５．０ｇ（６５モル％）及び化合物（Ｍ−２）４５．０ｇ（３５モル％）、ラジカル重合開始剤としてのＡＩＢＮ４ｇ、並びにｔ−ドデシルメルカプタン１ｇを、プロピレングリコールモノメチルエーテル１００ｇに溶解した後、窒素雰囲気下、反応温度を７０℃に保持して、１６時間重合させた。重合反応終了後、重合反応液を１，０００ｇのｎ−ヘキサン中に滴下して、生成した重合体を凝固精製した。次いで上記得られた重合体に、再度プロピレングリコールモノメチルエーテル１５０ｇを加えた後、さらに、メタノール１５０ｇ、トリエチルアミン３４ｇ及び水６ｇを加えて、沸点にて還流させながら、８時間加水分解反応を行った。反応終了後、溶媒及びトリエチルアミンを減圧留去し、得られた重合体をアセトン１５０ｇに溶解した後、２，０００ｇの水中に滴下して凝固させ、生成した白色粉末をろ別し、５０℃で１７時間乾燥させて白色粉末状の重合体（Ａ−１）を得た（収量６５．７ｇ、収率７７％）。重合体（Ａ−１）のＭｗは１０，０００、Ｍｗ／Ｍｎは１．９０であった。また、１３Ｃ−ＮＭＲ分析の結果、ｐ−ヒドロキシスチレン及び（Ｍ−２）に由来する各構造単位の含有割合は、それぞれ６５．４モル％及び３４．６モル％であった。
【０１６２】
＜感放射線性樹脂組成物の調製＞
感放射線性樹脂組成物の調製に用いた［Ｂ］有機化合物、［Ｃ］酸発生剤、［Ｄ］酸拡散制御剤及び［Ｅ］溶媒について以下に示す。
【０１６３】
［［Ｂ］有機化合物］
Ｂ−１〜Ｂ−９：下記式（Ｂ−１）〜（Ｂ−９）で表される化合物
【０１６４】
【化２３】
2015079142.tif 000024
【０１６５】
［［Ｃ］酸発生体］
Ｃ−１：トリフェニルスルホニウム２−（アダマンタン−１−イルカルボニルオキシ）−１，１，３，３，３−ペンタフルオロプロパン−１−スルホネート（下記式（Ｃ−１）で表される化合物）
【０１６６】
【化２４】
2015079142.tif 000025
【０１６７】
［［Ｄ］酸拡散制御体］
Ｄ−１：トリフェニルスルホニウム１０−カンファ−スルホネート
【０１６８】
［［Ｅ］溶媒］
Ｅ−１：酢酸プロピレングリコールモノメチルエーテル
Ｅ−２：シクロヘキサノン
【０１６９】
［実施例１］
［Ａ］重合体としての（Ａ−１）１００質量部、［Ｂ］有機化合物としての（Ｂ−１）３０モル％（［Ｃ］酸発生剤１００モル％に対するモル％）、［Ｃ］酸発生剤としての（Ｃ−１）２０質量部、［Ｄ］酸拡散制御剤としての（Ｄ−１）３．６質量部並びに［Ｅ］溶媒としての（Ｅ−１）４，２８０質量部及び（Ｅ−２）１，８３０質量部を配合し、得られた混合物を孔径０．２μｍのメンブランフィルターで濾過することにより感放射線性樹脂組成物（Ｊ−１）を調製した。
【０１７０】
［実施例２〜９］
実施例１において、［Ｂ］有機化合物としての（Ｂ−１）の代わりに（Ｂ−２）〜（Ｂ−９）を用いた以外は実施例１と同様にして感放射線性樹脂組成物（Ｊ−２）〜（Ｊ−９）を調製した。
【０１７１】
［比較例１］
実施例１において、［Ｂ］有機化合物を用いなかった以外は実施例１と同様にして感放射線性樹脂組成物（ＣＪ−１）を調製した。
【０１７２】
＜レジストパターンの形成＞
８インチのシリコンウェハーの表面に、スピンコーター（東京エレクトロン社の「ＣＬＥＡＮ  ＴＲＡＣＫ  ＡＣＴ８」）を使用して、各感放射線性樹脂組成物を塗布し、９０℃で６０秒間ＰＢを行った後、２３℃で３０秒間冷却し、膜厚５０ｎｍのレジスト膜を形成した。次に、このレジスト膜に、簡易型の電子線描画装置（日立製作所社の「ＨＬ８００Ｄ」、出力：５０ＫｅＶ、電流密度：５．０Ａ／ｃｍ２）を用いて電子線を照射した。照射後、１００℃で６０秒間ＰＥＢを行った。その後、アルカリ現像液としての２．３８質量％のＴＭＡＨ水溶液を用いて２３℃で３０秒間現像し、水で洗浄し、乾燥してポジ型のレジストパターンを形成した。
【０１７３】
＜評価＞
上記形成したレジストパターンについて下記方法に従い測定することにより、感放射線性樹脂組成物の感度、ＬＷＲ性能及び解像性を評価した。評価結果を下記表１に示す。表１中の比較例１の「※」は、評価の基準であることを示す。上記レジストパターンの測長には、走査型電子顕微鏡（日立ハイテクノロジーズ社の「Ｓ−９３８０」）を用いた。
【０１７４】
［感度］
上記レジストパターン形成の際、線幅１５０ｎｍの１対１ラインアンドスペースに形成される露光量を最適露光量とし、この最適露光量を感度とした。感度は、その値が小さいほど高感度であり良いことを示す。感度は、比較例１と比べて、１０％以上の向上（最適露光量の値が比較例１と比べて９０％以下であることをいう）があった場合は「良好」と、１０％未満の向上であった場合は「同等」と評価した。
【０１７５】
［ＬＷＲ性能］
レジストパターンの線幅を、上記走査型電子顕微鏡を用い、任意のポイントで計５０点測定し、その測定値の分布から３シグマ値を求め、これをＬＷＲ性能とした。ＬＷＲ性能は、その値が小さいほど、レジストパターンの線幅のガタつきが小さく良いことを示す。ＬＷＲ性能は、比較例１の場合と比べて、１０％以上の向上（ＬＷＲの値が比較例１と比べて９０％以下であることをいう）があった場合は「良好」と、１０％未満の向上であった場合は「同等」と評価した。
【０１７６】
［解像性］
上記最適露光量において解像される最小のレジストパターンの寸法を測定し、この寸法を解像性とした。解像性は、その値が小さいほど微細なパターンを形成することができ良いことを示す。解像性は、比較例１の場合と比べて、１０％以上の解像度向上（最小レジストパターン寸法が比較例１と比べて９０％以下であることをいう）があった場合は「良好」と、１０％未満の向上であった場合は「同等」と評価した。
【０１７７】
【表１】
2015079142.tif 000026
【０１７８】
表１の結果から明らかなように、実施例の感放射線性樹脂組成物は、感度に優れ、ＬＷＲ性能及び解像性にも優れることがわかる。なお、ＥＵＶ露光では、電子線露光と同様の傾向が得られることが知られており、実施例の感放射線性樹脂組成物によれば、ＥＵＶ露光の場合でも、感度、ＬＷＲ性能及び解像性に優れると推測される。
【産業上の利用可能性】
【０１７９】
本発明の感放射線性樹脂組成物及びレジストパターン形成方法によれば、高い感度を発揮しつつ、ＬＷＲが小さく解像度が高いレジストパターンを形成することができる。従って、これらは、半導体デバイス、液晶デバイス等の各種電子デバイスのリソグラフィー工程における微細なレジストパターン形成に好適に用いることができる。